(57)【要約】【課題】会合を行う度毎に情報ボードに表示された情報を消去したり再現したりしなければならないという不具合を解消する。【解決手段】ウォール状に伸展させた状態で各種の情報を表示可能な複数枚の情報ボードと、これら情報ボードの一部又は全部を伸展状態（ｏ）で保持するためのボード支持手段５と、前記情報ボードをその情報が隠蔽される片付状態（ｃ）で待機させておくためのボード保管手段とを具備してなる。【選択図】図３
2010115839.tif 000002
【特許請求の範囲】
【請求項１】
ウォール状に伸展させた状態で各種の情報を表示可能な複数枚の情報ボードと、これら情報ボードの一部又は全部を伸展状態で保持するためのボード支持手段と、前記情報ボードをその情報が隠蔽される片付状態で待機させておくためのボード保管手段とを具備してなることを特徴とするウォールシステム。
【請求項２】
前記複数枚の情報ボードを折り畳み可能に連結してボード群を構成し、そのボード群を１組又は複数組備えている請求項１記載のウォールシステム。
【請求項３】
前記ボード支持手段が、前記情報ボードを、壁面に沿った空間、柱間に形成された空間、或いは家具の前面に沿った空間等の立面空間に伸展状態で保持し得るようにしたものである請求項１又は２記載のウォールシステム。
【請求項４】
前記ボード支持手段が、各情報ボードに設けた係合部材と、これら係合部材を支持して前記各情報ボードを伸展状態に保持するための被係合部材とを備えたものである請求項１、２又は３記載のウォールシステム。
【請求項５】
前記複数枚の情報ボードが、伸展方向に連結されるとともにその伸展方向の端部に係合部材をそれぞれ備えたものであり、前記被係合部材が、前記係合部材を回転可能に且つ伸展方向にスライド可能に支持する案内凹部と、前記情報ボードの少なくとも連結部近傍に位置する係合部材を前記案内凹部に対して挿脱させるための挿入許容部及び離脱許容部を備えたものである請求項２、３又は４記載のウォールシステム。
【請求項６】
前記係合部材が、前記情報ボードの伸展方向両端部における上端面及び下端面にそれぞれ弾性的に没入可能に突設されたピン状のものであり、前記被係合部材が、対向する面に前記係合部材をスライド可能に且つ回転可能に支持する案内凹部を開口させたレール状のものである請求項４又は５記載のウォールシステム。
【請求項７】
前記被係合部材が、外側の立壁と内側の立壁との間に前記案内凹部を形成したものであり、前記挿入許容部が、外側の立壁の外縁側に挿入用傾斜案内面を形成してなるものである請求項６記載のウォールシステム。
【請求項８】
前記被係合部材が、外側の立壁と内側の立壁との間に前記案内凹部を形成したものであり、前記離脱許容部が、外側の立壁の内縁側に離脱用傾斜案内面を形成してなるものである請求項６又は７記載のウォールシステム。
【請求項９】
前記挿入許容部が、前記被係合部材の伸展方向全域に亘って前記挿入用傾斜案内面を形成したものである請求項７又は８記載のウォールシステム。
【請求項１０】
前記ボード保管手段が収納庫であり、前記ボード支持手段がその収納庫の前面に沿った空間に複数枚の情報ボードを伸展状態で保持し得るように構成されたものである請求項１、２、３、４、５、６、７、８又は９記載のウォールシステム。
【請求項１１】
前記伸展方向に配列された複数台の収納庫を利用して構成されるものであって、前記ボード支持手段が、複数台の収納庫の前面に沿った空間に複数枚の情報ボードを伸展状態で保持し得るように構成されたものであり、前記ボード保管手段が、前記収納庫の少なくとも１台により構成されたものである請求項１、２、３、４、５、６、７、８、９又は１０記載のウォールシステム。
【請求項１２】
前記ボード群を複数組備えており、それらボード群のいずれかを選択的にボード支持手段により保持させるようにしている請求項２、３、４、５、６、７、８、９、１０又は１１記載のウォールシステム。
【請求項１３】
前記ボード群を複数組備えており、２組以上のボード群を前記ボード支持手段に同時に保持させ得るようにしている請求項２、３、４、５、６、７、８、９、１０又は１１記載のウォールシステム。
【請求項１４】
前記情報ボードの少なくとも１枚がホワイトボードである請求項１、２、３、４、５、６、７、８、９、１０、１１、１２又は１３記載のウォールシステム。
【請求項１５】
前記情報ボードの少なくとも１枚が掲示用ボードである請求項１、２、３、４、５、６、７、８、９、１０、１１、１２、１３又は１４記載のウォールシステム。
【請求項１６】
前記情報ボードが、前記連結部にボード厚み方向の操作力を作用させて前記係合部材を前記被係合部材に挿脱させるための取手を有したものである請求項５、６、７、８又は９記載のウォールシステム。
【請求項１７】
前記取手が、指を掛けることが可能な孔状のものである請求項１６記載のウォールシステム。
【発明の詳細な説明】
【技術分野】
【０００１】
本発明は、種々の会合に好適に使用されるウォールシステムに関する。
【背景技術】
【０００２】
各種のプロジェクトを進めるには、ブレーンストーミングや議事などのために会合を何度も行うことが必要となる。その際の情報を参加メンバー同士で共有するための道具として、ホワイトボードや掲示用ボードなどが使用されることはよく知られている（例えば、特許文献１参照）。
【０００３】
ところが、かかる会合は会議室や応接室等の共有スペースで行われることが少なくない。そのため、ホワイトボードや掲示用ボード等にプロジェクト情報を表示して会合を行なっていると、会議が終了する毎にその情報をスキャナやカメラ等を用いてデータ化した上でボードの表示内容を消去あるいは撤去する必要が生じる。そして、会合を再開する際には、データ化した情報を再現しなければならないという面倒さがある。
【０００４】
このような不具合は、オフィスにおけるプロジェクト情報の取り扱いに限らず、学校その他の組織における活動等においても同様に生じ得るものである。
【特許文献１】特開２００３‐８９２９８号公報
【発明の開示】
【発明が解決しようとする課題】
【０００５】
本発明は、共用のスペースにおいて繰り返し会合を行わなければならない活動において生じる前述した課題、すなわち、会合を行う度毎にボードに表示された情報を消去したり再現したりしなければならないという課題を解消することを目的とするものである。
【課題を解決するための手段】
【０００６】
本発明に係るウォールシステムは、前述した課題を解決するためのものであって、ウォール状に伸展させた状態で各種の情報を表示可能な複数枚の情報ボードと、これら情報ボードの一部又は全部を伸展状態で保持するためのボード支持手段と、前記情報ボードをその情報が隠蔽される片付状態で待機させておくためのボード保管手段とを具備してなることを特徴とする。
【０００７】
ここでボード支持手段は、全ての情報ボードを同時に伸展状態で保持し得るものに限られないのは勿論であり、適宜選択される限られた枚数の情報ボードのみを伸展保持することができるようにしたものであってもよい。
【０００８】
また、ボード保管手段は、片付状態にある情報ボードを安定した状態で担持し得るものであればよく、専用のボード支持部材を有したものだけでなく、既存の収納庫、家具間等の隙間、既存の床面など種々のものが含まれる。なお、前記片付状態とは、前記伸展状態よりも嵩が低くなる状態を意味しているのは勿論である。
【０００９】
このような構成のものであれば、ボード支持手段によりウォール状に伸展保持された複数枚の情報ボードに必要な情報を記入したり添着したりすることにより会合を進めることができ、情報ボード上に表示された情報を参加メンバー全員で共有することが可能になる。そして、会合を一旦中断或いは終了する際には、前記情報ボードを片付状態にしてボード保管手段に担持させれば、情報ボード上の情報が隠蔽されることになる。そのため、共用のスペースを利用して会合を行っている場合でも、情報を消去することなしにそのスペースを参加メンバー以外の者に受け渡すことができる。そして、その会合を再開する際には、片付状態の情報ボードを取り出してボード支持手段により伸展させれば、前回の状況を一挙に再現することができ、引き続き効率的に会合を進めることが可能になる。
【００１０】
なお、前述したように本発明には、ボード支持手段により同時に伸展保持し得る枚数の情報ボードのみを準備しておくものも含まれるが、同時伸展できる枚数以上の情報ボードを用意しておけば、更に使い易いものとなる。
【００１１】
すなわち、近時のオフィス等においては、多数のプロジェクトが同時並行的に進行していることが少なくないが、それぞれのプロジェクトが専用のスペースを確保し続けることは困難であり、共用のミーティングスペースをホワイトボード等の関連設備とともに複数のプロジェクトが融通し合いながら使用するのが一般的である。このような状況においても、前記ボード支持手段により同時に伸展保持し得る枚数以上の情報ボードを予め準備しておけば、プロジェクト毎に異なった情報ボードを使用することができ、それぞれのプロジェクトが効率よく会合を進めることが可能になる。
【００１２】
複数枚の情報ボードは、必ずしも連結されている必要はないが、前記情報ボードを特定枚数ずつ折り畳み可能に連結してボード群を形成しておけば、前述したプロジェクト毎、テーマ毎その他種々の単位で複数枚の情報ボードをフォルダ化することができ情報をより使いやすく整理することができる。
【００１３】
しかして、本発明に係るウォールシステムとしては、前記複数枚の情報ボードを折り畳み可能に連結してボード群を構成し、そのボード群を１組又は複数組備えているものが考えられるが、ボード群を複数組備えているものが、情報ボードを複数枚ずつフォルダ化することが容易になるという点で優れている。
【００１４】
前記ボード支持手段の好ましい態様としては、前記情報ボードを、壁面に沿った空間、柱間に形成された空間、或いは家具の前面に沿った空間等の立面空間に伸展状態で保持し得るようにしたものを挙げることができる。
【００１５】
前記ボード支持手段の具体的な態様としては、各情報ボードに設けた係合部材と、これら係合部材を支持して前記各情報ボードを伸展状態に保持するための被係合部材とを備えたものがある。
【００１６】
ここで、前記係合部材としては、情報ボードの端面に突没可能に設けたピン状のものや、同端面に固定されたピン状のもの、情報ボードの裏面上部及び下部から側面視Ｌ字状に突出したブラケットにピン状の突起を保持させたもの、或いは、情報ボードの裏面上部から突出する側面視横向Ｔ字状の突起などを挙げることができる。
【００１７】
前記被係合部材としては、対向面に案内凹部を有した対をなすレール状のもの、背反する面に案内凹部を有するレール状のもの、或いは、前面に案内凹部を有しその案内凹部に側面視横向Ｔ字状の係合部材を受け入れて案内するレール状のものなど種々のものが考えられる。側面視横向Ｔ字状をなす係合部材と、開口部の幅を内部より狭く形成した案内凹部を前面に開口させたレール状の被係合部材とを組み合わせる場合には、情報ボードを吊戸的に支持することができるので、１本の被係合部材のみで複数枚の情報ボードを保持することも可能になる。
【００１８】
前記複数枚の情報ボードが伸展方向に連結されている場合の好適な態様としては、その伸展方向の端部に係合部材をそれぞれ備えたものがある。その場合の被係合部材としては、前記係合部材を回転可能に且つ伸展方向にスライド可能に支持する案内凹部と、前記情報ボードの少なくとも連結部近傍に位置する係合部材を前記案内凹部に対して挿脱させるための挿入許容部及び離脱許容部を備えたものを挙げることができる。
【００１９】
かかる構成を採用する場合の特に好ましい態様としては、前記係合部材が前記情報ボードの伸展方向両端部における上端面及び下端面にそれぞれ弾性的に没入可能に突設されたピン状のものであり、前記被係合部材が、対向する面に前記係合部材をスライド可能に且つ回転可能に支持する案内凹部を開口させたレール状のものである構成が考えられる。
【００２０】
前記係合部材が弾性退避可能なピン状のものである場合の前記被係合部材の好適な態様としては、外側の立壁と内側の立壁との間に前記案内凹部を形成したものであり、前記挿入許容部が、外側の立壁の外縁側に挿入用傾斜案内面を形成してなるものを挙げることができる。この場合の前記離脱許容部の好ましい態様としては、外側の立壁の内縁側に離脱用傾斜案内面を形成してなるものがある。
【００２１】
前記挿入許容部は、前記被係合部材の伸展方向全域に亘って前記挿入用傾斜案内面を形成したものにすることが望ましい。このようにしておけば、情報ボードがいかなるスライド位置に存在していても、その情報ボードに設けられているピン状の係合部材を前記被係合部材の案内凹部に嵌めることが可能になるからである。
【００２２】
前記ボード保管手段の好ましい実施態様としては、収納庫を挙げることができる。この態様を採用した場合には、前記ボード支持手段を、その収納庫の前面に沿った空間に複数枚の情報ボードを伸展状態で保持し得るように構成されたものにするのが望ましい。
【００２３】
ボード保管手段として収納庫を使用する場合、単一の収納庫の前にボード支持手段を設けてもよいが、横方向に配列された複数台の収納庫を利用して多数枚の情報ボードをその前面空間に伸展させ得るように構成するのがより好ましい。かかる構成を採用する場合、前記ボード支持手段を、複数台の収納庫の前面に沿った空間に複数枚の情報ボードを伸展状態で保持し得るように構成しておき、前記ボード保管手段を、前記収納庫の少なくとも１台により構成しておくのがよい。
【００２４】
前述したように複数枚の情報ボードを連結してなるボード群を複数組備えなるものにした場合、それらボード群のいずれかを選択的にボード支持手段により保持させるようにしておいてもよく、或いは、２組以上のボード群を前記ボード支持手段に同時に保持させ得るようにしてもよい。ボード保管手段として既存の収納庫を利用する場合、複数組のボード群を無造作にその収納庫内の空間に収納するようにしてもよいが、収納庫内に複数のボード群をボード支持手段上に取り出し易い所要の姿勢で安定支持しておくための補助具等を配してもよい。
【００２５】
前記情報ボードは、種々の情報を記入したり情報を記載した用紙等を貼り付けたりすることができるものであればどのようなものでもよい。記入に適したものとしてはホワイトボードがあり、用紙等の張り付けに適したものとしては掲示用ボードがある。情報ボードとしてホワイトボードや掲示用ボードを使用する場合でも、ボード群を構成する情報ボードは全てを同じものにする必要はなく、少なくとも１枚をホワイトボードにしたり少なくとも１枚を掲示用ボードにしたりするなど、種々の組み合わせが可能である。
【００２６】
前記ボード群を構成する情報ボードの形状や構造も特定のものに限定されるものではないが、突没可能なピン状の係合部材を傾斜案内面により案内して被係合部材の案内凹部に挿脱させる構造を採用する場合には、情報ボード同士の連結部にボード厚み方向の操作力を作用させて前記係合部材を前記被係合部材に挿脱させるための取手を設けておくのが好ましい。前記取手としては、指を掛けることが可能な孔状のもの等を挙げることができる。
【発明の効果】
【００２７】
本発明は、以上のような構成であるから、会合を行う度毎に情報ボードに表示された情報を消去したり再現したりしなければならないという不具合を解消することができるウォールシステムを提供することができるものである。
【発明を実施するための最良の形態】
【００２８】
以下、本発明の一実施形態を、図面を参照して説明する。
【００２９】
このウォールシステム１は、図１ないし図１１に示すように、ウォール状に伸展させた状態で各種の情報を表示可能な複数枚の情報ボードたるホワイトボード３と、これらホワイトボード３の一部を伸展状態（ｏ）で保持するためのボード支持手段５と、複数台の収納庫６により構成され前記ホワイトボード３を図１、図２及び図５に示す片付状態（ｃ）で待機させておくボード保管手段とを具備してなる。この実施形態においては、複数台の収納庫６をそれぞれボード保管手段として使用するようにしている。
【００３０】
詳述すれば、前記ホワイトボード３は、図１及び図３に示すように、表面全域に記入面を有した長方形状をなす板状のもので、隅部に指を挿入可能な円形孔状の取手３１を備えてなる。この実施形態では、複数枚のホワイトボード３により１組のボード群２を構成しており、同様な構成のボード群２を複数組備えている。
【００３１】
各ボード群２は、複数枚のホワイトボード３を折り畳み可能に連結してなるもので、図１ないし図８に示すように、各ホワイトボード３が厚み方向に重なり合う片付状態（ｃ）から、各ホワイトボード３が屏風状に連なる中間状態（ｍ）、及び中間最終状態（ｍ１）を経て、各ホワイトボード３の表面が面一になる伸展状態（ｏ）までの間で伸展動作又は折り畳み動作をさせることができるようになっている。前記ホワイトボード３同士を連結している連結部４は、図５及び図１１に示すように、相互に突き合わせた隣接するホワイトボード３の側端面３２同士を、上下に間隔をあけて配された複数のヒンジ４１を介して接続したものである。前記各ヒンジ４１は、例えば、フレキシブルに変形可能なシート体の一端側を一方のホワイトボード３の側端面３２に取り付けるとともに、他端側を他方のホワイトボード３の側端面３２に取り付けてなる。この実施形態では、以上のようにしてなるボード群２を１組ずつ選択的に前記ボード支持手段５に伸展状態（ｏ）で保持させることができるようになっている。
【００３２】
ボード支持手段５は、各ホワイトボード３に設けた係合部材５１と、これら係合部材５１を支持して前記各ホワイトボード３を伸展状態（ｏ）に保持するための被係合部材５２ａ、５２ｂとを備えてなる。前記係合部材５１は、図６ないし図１０に示すように、各ホワイトボード３の伸展方向両端部、すなわち、左右両側端部における上端面及び下端面にそれぞれ弾性的に没入可能に突設されたピン状のものである。一方、前記被係合部材５２ａ、５２ｂは、前記ボード保管手段である複数の収納庫６の全幅に亘って設けた上、下対をなすレール状のもので、それぞれ内側の立壁５２２と外側の立壁５２３との間に前記ピン状の係合部材５１を回転可能に且つ伸展方向にスライド可能に支持する溝状の案内凹部５２１を形成してなる。そして、上の被係合部材５２ａと下の被係合部材５２ｂとは、前記案内凹部５２１を対向させて平行に配設されている。これら両被係合部材５２ａ、５２ｂは、それぞれ前記係合部材５１を前記案内凹部５２１に挿脱させるための挿入許容部７及び離脱許容部８を備えている。前記挿入許容部７は、前記被係合部材５２ａ、５２ｂを構成する外側の立壁５２３における外縁側に挿入用傾斜案内面７１を形成してなるものである。前記挿入用傾斜案内面７１は、前記被係合部材５２ａ、５２ｂの全長に亘って形成されている。一方、離脱許容部８は、前記被係合部材５２ａ、５２ｂを構成する外側の立壁５２３における内縁側に離脱用傾斜案内面８１を形成してなるものである。離脱用傾斜案内面８１は、前記被係合部材５２ａ、５２ｂの長手方向に間欠的に形成されている。具体的には、前記ボード保管手段を構成する各収納庫６に対応させて部分的に形成されている。
【００３３】
ボード保管手段は、横方向に連結して配列させた複数台の収納庫６により構成されている。各収納庫６は、図１ないし図４に示すように、左右の側板６１、６１間に、少なくとも底板６２と、中間仕切板６３と、天板６４とを架設するとともに、背面を背面板６５により閉塞してなる通常のものである。そして、前記左右の側板６１、６１と前記中間仕切板６３及び前記天板６４との間に形成される正面視長方形状の上半収納空間Ｃを外方に開放してなる。各収納庫６が有する上半収納空間Ｃは、複数枚を折り畳んだ片付状態（ｃ）にあるボード群２を、図６の想像線で示すような斜めに傾けた場合にも収納することができ、また、この斜めに傾けて収納したボード群２を略起立した状態へと操作することができる程度の高さと幅を少なくとも有している。また、後述する被係合部材５２ａ、５２ｂよりも奥側に形成される収納庫６の上半収納空間Ｃは、片付状態（ｃ）にあるボード群２全体を収納することができる程度の奥行きを少なくとも有している。そして、前記各上半収納空間Ｃにそれぞれ複数組のボード群２を略起立させた状態で収納し得るようになっている。しかして、前記ボード支持手段５を構成する上側の被係合部材５２ａは、図９に示すように、前記収納庫６の上半収納空間Ｃの開口部上縁部分Ｃ１に取り付けられており、下側の被係合部材５２ｂは、前記上半収納空間Ｃの開口部下縁部分Ｃ２に取り付けられている。取り付けられた上、下の被係合部材５２ａ、５２ｂの対面距離をＡとし、上、下の被係合部材５２ａ、５２ｂにおける案内凹部５２１の底間距離をＢとすると、前記ホワイトボード３の高さ寸法Ｔは前記対面距離Ａより若干小さな値に設定されている。また、該ホワイトボード３に取り付けられている上、下の係合部材５１の先端間距離Ｓは、前記対面距離Ａよりも大きく且つ前記底間距離Ｂよりも小さくなる値に設定されている。なお、各収納庫６の側板６１、中間仕切板６３や天板６４等は、板金素材により作られているが、図面の複雑さを避けるために図２及び図９においては中実に描いている。
【００３４】
次いで、このウォールシステム１の作動を説明する。使用しない状態では、全てのボード群２が収納庫６の上半収納空間Ｃに保管されている。この状態から、いずれかのボード群２を取り出してそのボード群２を構成している複数枚のホワイトボード３を前記収納庫６の前面側空間Ｃ３に伸展させるには、次のような手順を経る。
【００３５】
まず、図６の想像線で示すように選択したボード群２を斜めに倒して、レール状をなす上、下の被係合部材５２ａ、５２ｂ間を通過させる。そして、そのボード群２全体が前記被係合部材５２ａ、５２ｂ間を通過し終わる直前で、そのボード群２を矢印Ｚで示すように、直立姿勢に強制起立させる。その操作によって、図６の実線で示すように、複数枚のホワイトボード３が密に重なり合った片付状態（ｃ）のままで前記ボード群２の奥側に位置する全ての係合部材５１が、前記被係合部材５２ａ、５２ｂの案内凹部５２１に嵌り込むことになる。この状態から、そのボード群２を構成しているホワイトボード３を左右に展開してゆくと、被係合部材５２ａ、５２ｂの案内凹部５２１に嵌り合っている係合部材５１が該案内凹部５２１に沿って自転しながらスライド移動することになり、図７に示すような中間状態（ｍ）及び図８に示すような中間最終状態（ｍ１）を経て、図３及び図４に示すような伸展状態（ｏ）に至らせることができる。なお、図３及び図４に示す伸展状態（ｏ）に至る直前の中間最終状態（ｍ１）は、未だ被係合部材５２ａ、５２ｂに嵌り込んでいない係合部材５１が存在しており、図８に示すように、それらの係合部材５１が被係合部材５２ａ、５２ｂに接近した状態となる。その接近状態において、ホワイトボード３の連結部４や側端部付近を押圧すると、被係合部材５２ａ、５２ｂの外側に位置している係合部材５１の先端が挿入許容部７の挿入用傾斜案内面７１に案内されて没入方向に弾性的に移動し、最終的に前記案内凹部５２１に嵌り込むことになる。その結果、全てのホワイトボード３が面一に伸展され使用可能な伸展状態（ｏ）で支持される。なお、他の連結部分においても、この中間最終状態（ｍ１）に至るまでの間に同様な作動により、係合部材５１が被係合部材５２ａ、５２ｂに嵌り込むこととなる。
【００３６】
次に、この伸展状態（ｏ）から、全てのボード群２を収納庫６の上半収納空間Ｃに保管されている状態に収納するには、次のような手順を経る。
【００３７】
まず、伸展状態（ｏ）のボード体の隅部に設けられた取手３１に指をかけ、ボード群２を上半収納空間Ｃの外方へと力を加える。その結果、被係合部材５２ａ、５２ｂの案内凹部５２１に嵌り込んでいる係合部材５１の先端が離脱許容部８の離脱用傾斜案内面８１に案内されて一時的に没入し、被係合部材５２ａ、５２ｂから外れることになる。各連結部４において同様な操作をすることにより、ボード群２を構成しているホワイトボード３を左右に折り畳んでゆくことができ、図７に示すように、前述した中間状態（ｍ）を経て、ホワイトボード３が密に重なり合った片付状態（ｃ）に至る。その状態から、図６の想像線で示すようにホワイトボード３が密に重なり合ったボード群２全体を斜めに倒して前記被係合部材５２ａ、５２ｂ間を通過させ、収納庫６の上半収納空間Ｃにボード群２全体が収まったところで前記ボード群２を略直立姿勢に起立させて収納庫６に保管される。
【００３８】
なお、本発明は以上に述べたような実施形態に限らず種々変更可能である。
【００３９】
たとえば、ヒンジは、上記のようなシート体のヒンジに限らず、図１２に示すように、二軸ヒンジＥ４１の他種々変更可能であるが、本実施形態で説明したシート体のヒンジを用いれば、ヒンジ自体を比較的フレキシブルに変形可能であるため扱いやすい。
【００４０】
また、係合部材は、図１３に示すように、ホワイトボード３の裏面上部及び下部から側面視Ｌ字状に突出したブラケットにピン状の突起を保持させたものＧ５１や、図１４に示すように、ホワイトボード３の裏面上部から突出する側面視横向Ｔ字状の突起Ｆ５１など、ピン状のものに限らず種々変更可能である。
【００４１】
情報ボードは、種々の情報を記入したり情報を記載した用紙等を貼り付けたりすることができるものであればホワイトボードのみから構成されるものに限られず、用紙等の張り付けに適した掲示用ボード、具体的には押しピンを用いて用紙等を貼り付けるコルクボードや、マグネットを用いて用紙等を貼り付ける磁力を備えたボード等と組み合わせて使用することが可能である。１つのボード群にホワイトボードと掲示用ボードとを組み合わせることができる。
【００４２】
さらに、ボード保管手段は、前述したようなものに限られないのはもちろんであるが、前記一実施形態で例示したようにボード支持手段により情報ボードを伸展状態に保持するための立面空間の真後ろにボード保管手段を配しておけば、伸展操作及び保管操作を迅速に行うことが可能になる。
【００４３】
また、収納庫に収納されている状態での情報ボード上の情報のセキュリティを高めるために、各収納庫の前面に鍵のかかる扉を配しているものや、各ボード群に鍵を備えて情報ボードが伸展できないようにしたもの、具体的には、複数枚取手の孔を利用して取り付けられるもの、または、複数枚の情報ボードの側端面に跨って取り付けられるものなどであってもよい。
【００４４】
以上、本実施形態について詳述したが、本発明は上記実施形態に限定されるものではなく、その他各部の具体的構成は、本発明の趣旨を逸脱しない範囲で種々変形が可能である。
【図面の簡単な説明】
【００４５】
【図１】本発明の一実施形態の片付状態を示す正面図。
【図２】図１におけるＸ‐Ｘ線断面図。
【図３】同実施形態の伸展状態を示す正面図。
【図４】同側面図。
【図５】同実施形態のボード群を示す斜視図。
【図６】同実施形態の作用を説明するための作用説明図。
【図７】同実施形態の作用を説明するための作用説明図。
【図８】同実施形態の作用を説明するための作用説明図。
【図９】図８におけるＹ‐Ｙ線に沿った概略拡大断面図。
【図１０】同実施形態のボード支持手段を示す要部拡大斜視図。
【図１１】同実施形態の連結部を示す要部拡大斜視図。
【図１２】本発明の他の実施形態の連結部を示す要部拡大斜視図。
【図１３】本発明の他の実施形態のボード支持手段を示す要部拡大斜視図。
【図１４】本発明のさらに他の実施形態のボード支持手段を示す要部拡大斜視図。
【符号の説明】
【００４６】
１…ウォールシステム
２…ボード群
（ｃ）…片付状態
（ｏ）…伸展状態
３…ホワイトボード
３１…取手
４…連結部
５…ボード支持手段
５１、Ｇ５１、Ｆ５１…係合部材
５２ａ、５２ｂ、Ｆ５２…被係合部材
５２１…案内凹部
５２２…内側の立壁
５２３…外側の立壁
６…収納庫
７…挿入許容部
８…離脱許容部
【図１】
2010115839.tif 000003
【図２】
2010115839.tif 000004
【図３】
2010115839.tif 000005
【図４】
2010115839.tif 000006
【図５】
2010115839.tif 000007
【図６】
2010115839.tif 000008
【図７】
2010115839.tif 000009
【図８】
2010115839.tif 000010
【図９】
2010115839.tif 000011
【図１０】
2010115839.tif 000012
【図１１】
2010115839.tif 000013
【図１２】
2010115839.tif 000014
【図１３】
2010115839.tif 000015
【図１４】
2010115839.tif 000016